(57)【要約】【課題】未使用にしていた時の使用可能時間の長時間化を図ることが可能な、電子機器を提供する。【解決手段】第１のバッテリ及び第２のバッテリと、電子機器の動作を制御する制御部と、前記第１のバッテリから前記制御部への電力供給の有無を切り替える第１スイッチと、前記第２のバッテリから前記第１スイッチへの電位の印加の有無を切り替える第２スイッチと、を備え、前記第１バッテリからの電力が前記制御部に供給されると、前記制御部は前記第１のバッテリから前記制御部へ電力を供給する電位を前記第２スイッチへ印加する、電子機器が提供される。これにより、未使用にしていた時の使用可能時間の長時間化を図ることができる。【選択図】図２
2012200046.tif 000002
【特許請求の範囲】
【請求項１】
第１のバッテリ及び第２のバッテリと、
電子機器の動作を制御する制御部と、
前記第１のバッテリから前記制御部への電力供給の有無を切り替える第１スイッチと、
前記第２のバッテリから前記第１スイッチへの電位の印加の有無を切り替える第２スイッチと、
を備え、
前記第１バッテリからの電力が前記制御部に供給されると、前記制御部は前記第１のバッテリから前記制御部へ電力を供給する電位を前記第２スイッチへ印加する、電子機器。
【請求項２】
前記制御部は、前記第２スイッチにより前記第１のバッテリからの電力供給の停止及び前記制御部の動作の停止が設定されたことを検出すると、実行中の処理の完了後に前記第１スイッチへの電位の供給を停止し、前記第１スイッチをオフさせる、請求項１に記載の電子機器。
【請求項３】
前記制御部は、前記第２スイッチによる前記第１のバッテリからの電力供給の開始及び停止を検知する端子を有する、請求項２に記載の電子機器。
【請求項４】
前記制御部が、前記第１スイッチのオン状態を維持する電位を出力すると、前記第２のバッテリからは前記第１スイッチへの電位の供給が停止される、請求項１に記載の電子機器。
【請求項５】
前記制御部から前記第１スイッチへ出力する電位は前記第２のバッテリから前記第１スイッチへ出力する電位よりも高い、請求項１に記載の電子機器。
【請求項６】
前記第２のバッテリは、前記第１のバッテリより容量が少ない、請求項１に記載の電子機器。
【請求項７】
前記第１スイッチは、前記第２スイッチにより前記第２のバッテリから電位が供給されるとオンされる第１のＦＥＴと、前記第１のＦＥＴがオンされるとオンされて前記第１のバッテリからの電力を前記制御部に供給する第２のＦＥＴと、を含む、請求項１に記載の電子機器。
【請求項８】
第１のバッテリ及び第２のバッテリと、電子機器の動作を制御する制御部と、前記第１のバッテリから、前記制御部への電力供給の有無を切り替える第１スイッチと、前記第２のバッテリから前記第１スイッチへの電位の印加の有無を切り替える第２スイッチと、を備える前記電子機器の、前記第２スイッチにより前記第２のバッテリから前記第１スイッチへ電位が印加されるステップと、
前記第１スイッチが導通して前記第２のバッテリからの電力が前記制御部に供給されると、前記第１のバッテリから前記制御部へ電力を供給する電位を前記制御部から前記第２スイッチへ印加するステップと、
を備える、電力供給制御方法。
【発明の詳細な説明】
【技術分野】
【０００１】
本発明は、電子機器及び電力供給制御方法に関する。
【背景技術】
【０００２】
デジタルスチルカメラ、デジタルビデオカメラ、携帯電話、ポータブルオーディオプレーヤのようなモバイル電子機器は、近年の需要の高まりを受けて飛躍的に高機能化を遂げている。その一方で、高機能化に伴うこのようなモバイル電子機器の電力消費量も増大し、かかるモバイル電子機器の分野においては、消費電力の低減は大きな課題となっている。
【０００３】
モバイル電子機器の消費電力には、モバイル電子機器を使用しているときの消費電力と、モバイル電子機器が使用状態に無いときの待機電力とがある。この待機電力は、機器の起動時間を速めるために一部のデバイスに通電させていることで生じるものである。前者のモバイル電子機器を使用しているときの消費電力は、モバイル電子機器の使用時間に影響をあたえるものである。また後者のモバイル電子機器が使用状態に無いときの待機電力は、モバイル電子機器を長期間使用しなかった場合の使用可能時間に影響を与える。
【０００４】
近年では、モバイル電子機器を使用しているときの消費電力を削減して、モバイル電子機器の使用時間を長時間化させることは勿論であるが、モバイル電子機器が使用状態に無いときの待機電力を削減して、モバイル電子機器を長期間使用しなかった場合の、当該モバイル電子機器の使用可能時間を長時間化させることも重要視されてきている。
【０００５】
例えば、デジタルカメラのユーザを想定した場合、週に１回、または月に１回のみ使用するユーザが多いが、待機電力が大きいと、使用時にデジタルカメラをすぐに使用できず、電源（バッテリ）の充電から開始する必要がある。これは、デジタルカメラのユーザに対し、使用したい時にすぐに使用できないという不都合を招く。
【０００６】
そこで、モバイル電子機器の未使用時の待機電力を低減させる方法として、制御回路の動作クロック数を下げたり、ＣＰＵ（Ｃｅｎｔｒａｌ  Ｐｒｏｃｅｓｓｉｎｇ  Ｕｎｉｔ；中央演算装置）をスリープモードで動作させたりするなどの発明がなされている（例えば特許文献１参照）。
【先行技術文献】
【特許文献】
【０００７】
【特許文献１】特開平９−１９１５６９号公報
【発明の概要】
【発明が解決しようとする課題】
【０００８】
しかし、このようなモバイル電子機器の未使用時の待機電力を低減させる発明は、消費電力の低減は可能であるが、ＩＣ（集積回路）を動作させるための最低限の動作電力が必要であるため、モバイル電子機器の未使用時の当該モバイル電子機器の使用可能時間の長時間化対策としては不十分であるという問題があった。
【０００９】
そこで、モバイル電子機器の使用可能時間の長時間化対策として、モバイル電子機器の待機電力を限りなくゼロにするための工夫が求められる。例えば、バッテリと内部の基盤との間にスイッチを設け、モバイル電子機器の未使用時にはそのスイッチを切断することで、自然放電以外の要因によるバッテリの電力消費を抑えることができる。
【００１０】
しかし、モバイル電子機器にはＩＣが搭載されているのが一般的であり、単にモバイル電子機器の未使用時にスイッチを切断させると、ＩＣの駆動中にＩＣへの電力供給が途絶え、ＩＣの機能を阻害するだけでなく、最悪の場合、ＩＣやその周辺回路を破壊してしまうおそれがある。このＩＣの機能の阻害には、例えば、撮影画像の保存処理を実行中にＩＣへの電力供給が途絶えることで、撮影画像が保存されずに破棄されてしまうようなケースが考えられる。
【００１１】
そこで、本発明は、上記問題に鑑みてなされたものであり、本発明の目的とするところは、未使用にしていた時の使用可能時間の長時間化を図ることが可能な、新規かつ改良された電子機器及び電力供給制御方法を提供することにある。
【課題を解決するための手段】
【００１２】
上記課題を解決するために、本発明のある観点によれば、第１のバッテリ及び第２のバッテリと、電子機器の動作を制御する制御部と、前記第１のバッテリから前記制御部への電力供給の有無を切り替える第１スイッチと、前記第２のバッテリから前記第１スイッチへの電位の印加の有無を切り替える第２スイッチと、を備え、前記第１バッテリからの電力が前記制御部に供給されると、前記制御部は前記第１のバッテリから前記制御部へ電力を供給する電位を前記第２スイッチへ印加する、電子機器が提供される。
【００１３】
前記制御部は、前記第２スイッチにより前記第１のバッテリからの電力供給の停止及び前記制御部の動作停止が設定されたことを検出すると、実行中の処理の完了後に前記第１スイッチへの電位の供給を停止し、前記第１スイッチをオフさせるようにしてもよい。
【００１４】
前記制御部は、前記第２スイッチによる前記第１のバッテリからの電力供給の開始及び停止を検知する端子を有していてもよい。
【００１５】
前記制御部が、前記第１スイッチのオン状態を維持する電位を出力すると、前記第２のバッテリから前記第１スイッチへの電位の供給が停止されるようにしてもよい。
【００１６】
前記制御部から前記第１スイッチへ出力する電位は前記第２のバッテリから前記第１スイッチへ出力する電位よりも高くてもよい。
【００１７】
前記第２のバッテリは、前記第１のバッテリより容量が少なくてもよい。
【００１８】
前記第１スイッチは、前記第２スイッチにより前記第２のバッテリから電位が供給されるとオンされる第１のＦＥＴと、前記第１のＦＥＴがオンされるとオンされて前記第１のバッテリからの電力を前記制御部に供給する第２のＦＥＴと、を含んでいてもよい。
【００１９】
また、上記課題を解決するために、本発明の別の観点によれば、第１のバッテリ及び第２のバッテリと、電子機器の動作を制御する制御部と、前記第１のバッテリから、前記制御部への電力供給の有無を切り替える第１スイッチと、前記第２のバッテリから前記第１スイッチへの電位の印加の有無を切り替える第２スイッチと、を備える前記電子機器の、前記第２スイッチにより前記第２のバッテリから前記第１スイッチへ電位が印加されるステップと、前記第１スイッチが導通して前記第２のバッテリからの電力が前記制御部に供給されると、前記第１のバッテリから前記制御部へ電力を供給する電位を前記制御部から前記第２スイッチへ印加するステップと、を備える、電力供給制御方法が提供される。
【発明の効果】
【００２０】
以上説明したように本発明によれば、未使用にしていた時の当該モバイル電子機器の使用可能時間の長時間化を図ることが可能な、新規かつ改良された電子機器及び電力供給制御方法を提供することができる。
【図面の簡単な説明】
【００２１】
【図１】本発明の一実施形態にかかる電子機器１００の外観例を示す説明図である。
【図２】本発明の一実施形態に係る電子機器１００の機能構成を示す説明図である。
【図３】本発明の一実施形態に係る電子機器１００の回路構成例を示す説明図である。
【図４】制御ＩＣ１５０の構成例を示す説明図である。
【図５】制御ＩＣ１５０の入力ポートＡ、Ｂの状態と、電子機器１００の動作モードとの関係を表で示す説明図である。
【図６】本発明の一実施形態に係る電子機器１００の動作を示す流れ図である。
【発明を実施するための形態】
【００２２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２３】
なお、説明は以下の順序で行うものとする。
＜１．本発明の一実施形態＞
［１−１．電子機器の外観例］
［１−２．電子機器の機能構成］
［１−３．電子機器の回路構成例］
［１−４．電子機器の動作］
＜２．まとめ＞
【００２４】
＜１．本発明の一実施形態＞
［１−１．電子機器の外観例］
まず、本発明の一実施形態に係る電子機器の外観例について説明する。図１は、本発明の一実施形態にかかる電子機器１００の外観例を示す説明図である。以下、図１を用いて本発明の一実施形態に係る電子機器１００の外観例について説明する。
【００２５】
本発明の一実施形態に係る電子機器１００は、例えば図１に示すようなデジタルカメラである。図１は、電子機器１００を背面側から見た状態を示す説明図である。図１に示した電子機器１００は、ユーザの操作に応じて静止画像や動画像の撮影を実行し、撮影した画像のデータを内部の記録媒体に保存することができる機能を有するものである。
【００２６】
本発明の一実施形態に係る電子機器１００は、図１に示すように、メインスイッチ１１０を備えている。メインスイッチ１１０は、電子機器１００の電源をオン・オフさせるためのスイッチであり、電子機器１００のユーザは、メインスイッチ１１０を操作することで、電子機器１００の電源をオン・オフさせることができる。以下の説明では、メインスイッチ１１０によって電子機器１００の電源がオンされている状態を、電子機器１００の動作モードが電源ＯＮモードにあるといい、電子機器１００の電源がオフされている状態を、電子機器１００の動作モードが電源ＯＦＦモードにあるという。図１は、メインスイッチ１１０によって電子機器１００の動作モードが電源ＯＦＦモードにある状態を示している。
【００２７】
なお、電子機器１００が電源ＯＦＦモードにある場合であっても、電子機器１００の内部に設けられる全ての回路が動作を停止するのではなく、最低限の回路（例えば、後述する制御ＩＣ）には通電させておく。これにより、ユーザがメインスイッチ１１０を操作して電子機器１００の電源をオンさせたときの起動時間を短縮させることができる。
【００２８】
そして本発明の一実施形態に係る電子機器１００に設けられるメインスイッチ１１０は、電子機器１００を電源ＯＮモード、電源ＯＦＦモードにさせるため以外にも、電源ＯＦＦモードでも動作している回路への通電を止めて、電子機器の未使用時の当該電子機器の使用可能時間を長期化させるモードを備える。以下の説明では、電子機器の未使用時の使用可能時間を長期化させる動作モードをエコモードと称する。
【００２９】
なお、電子機器１００のユーザがメインスイッチ１１０を操作して、電子機器１００の動作モードをいきなり電源ＯＮモードからエコモードに遷移させると、上述したように、例えばＩＣの駆動中にＩＣへの電力供給が途絶え、ＩＣの機能を阻害するだけでなく、最悪の場合、ＩＣやその周辺回路を破壊してしまうおそれがある。図１に示した本発明の一実施形態に係る電子機器１００の場合では、例えば、撮影画像の保存処理を実行中にＩＣへの電力供給が途絶えることで、撮影画像が保存されずに破棄されてしまうようなケースが考えられる。
【００３０】
以下では、本発明の一実施形態に係る電子機器１００において、電子機器１００のユーザがメインスイッチ１１０を操作して、電子機器１００の動作モードをエコモードにいきなり遷移させた場合であっても、上述したような問題が生じないための構成及び動作について、詳細に説明する。
【００３１】
以上、図１を用いて本発明の一実施形態に係る電子機器１００の外観例について説明した。もちろん、電子機器の例としては、図１に示したデジタルカメラに限定されないことは言うまでもなく、電源をオフにしている状態であっても一定の電力を消費する電子機器全般について、以下で説明する本発明の一実施形態を適用可能であることは、言うまでもないことである。次に、本発明の一実施形態に係る電子機器１００の機能構成について説明する。
【００３２】
［１−２．電子機器の機能構成］
図２は、本発明の一実施形態に係る電子機器１００の機能構成を示す説明図である。以下、図２を用いて本発明の一実施形態に係る電子機器１００の機能構成について説明する。
【００３３】
図２に示したように、本発明の一実施形態に係る電子機器１００は、メインスイッチ１１０と、メインバッテリ１２０と、サブバッテリ１３０と、ＦＥＴスイッチ部１４０と、制御ＩＣ１５０と、を含んで構成される。
【００３４】
メインスイッチ１１０は、電子機器１００の電源を入れたり切ったりするためのスイッチであり、後述する、ＦＥＴスイッチ部１４０のオン・オフを制御するためのスイッチでもある。メインスイッチ１１０は、少なくとも、電子機器１００の電源を入れるための端子（オン端子）と、電子機器１００の電源を切って制御ＩＣ１５０も完全に動作を停止させるための端子（エコモード端子）とを備える。電子機器１００のユーザがメインスイッチ１１０を操作することで、電子機器１００は、電源ＯＮモード、電源ＯＦＦモード、エコモードの間で動作モードが遷移される。
【００３５】
メインスイッチ１１０がオン端子に接続された状態では、サブバッテリ１３０からの電位がＦＥＴスイッチ部１４０に出力される。サブバッテリ１３０からＦＥＴスイッチ部１４０に出力される電位は、ＦＥＴスイッチ部１４０をオンさせるために充分な電位である。
【００３６】
メインバッテリ１２０は、電子機器１００の内部に搭載された各種デバイスや回路を駆動させるための電力を保持するものである。電子機器１００の内部に搭載された各種デバイスや回路として、図２では制御ＩＣ１５０を図示している。もちろん、電子機器１００の内部に搭載された各種デバイスや回路はこの制御ＩＣ１５０に限られないことは言うまでもなく、例えば画面を表示するためのディスプレイ、被写体を撮影するためのレンズやフォーカスを駆動させるための回路等が含まれる。
【００３７】
サブバッテリ１３０は、メインバッテリ１２０とは別途設けられるバッテリであり、メインバッテリ１２０より容量が少なくてもよく、例えば、電子機器１００の内部で動作するＲＴＣ（Ｒｅａｌ  Ｔｉｍｅ  Ｃｌｏｃｋ、図示せず）へ電力を供給することで、電子機器１００の動作が完全に停止している状態であってもＲＴＣを動作させるためのバッテリである。そして本実施形態に係る電子機器１００は、サブバッテリ１３０が出力する電位によってＦＥＴスイッチ部１４０をオンさせることが可能になっている。
【００３８】
ＦＥＴスイッチ部１４０は、メインバッテリ１２０から、電子機器１００の内部に搭載された各種デバイスや回路への電力供給を制御するものである。ＦＥＴスイッチ部１４０がオンされると、メインバッテリ１２０から、電子機器１００の内部に搭載された各種デバイスや回路へ電力が供給される。ＦＥＴスイッチ部１４０がオフされると、メインバッテリ１２０から、電子機器１００の内部に搭載された各種デバイスや回路への電力の供給が停止する。
【００３９】
制御ＩＣ１５０は、電子機器１００の動作を制御するＩＣである。制御ＩＣ１５０は、メインバッテリ１２０からの電力の供給を受けて動作し、電子機器１００の内部に搭載された各種デバイス、例えば画面表示や、ズームレンズやフォーカスレンズの駆動その他の撮影機構の動作等を制御する。
【００４０】
本実施形態では、制御ＩＣ１５０は、サブバッテリ１３０が出力する電位によってＦＥＴスイッチ部１４０がオンされてメインバッテリ１２０からの電力の供給を受けると、ＦＥＴスイッチ部１４０のオン状態を維持するために、ＦＥＴスイッチ部１４０へ電位を出力する。
【００４１】
そして本実施形態では、制御ＩＣ１５０が、ＦＥＴスイッチ部１４０のオン状態を維持するために、ＦＥＴスイッチ部１４０へ電位を出力すると、サブバッテリ１３０からＦＥＴスイッチ部１４０への電位の出力が停止されるようにしてもよい。これにより、サブバッテリ１３０の電力消費を抑えることが可能になる。
【００４２】
以上、図２を用いて本発明の一実施形態に係る電子機器１００の機能構成について説明した。次に、本発明の一実施形態に係る電子機器１００の具体的な回路構成例について説明する。
【００４３】
［１−３．電子機器の回路構成例］
図３は、本発明の一実施形態に係る電子機器１００の回路構成例を示す説明図である。以下、図３を用いて本発明の一実施形態に係る電子機器１００の回路構成例について説明する。
【００４４】
図３に示した本発明の一実施形態に係る電子機器１００の回路構成例は、図２に示した電子機器１００の機能構成をより具体化したものである。以下、図２に示した電子機器１００の各部について詳細に見ていくことにする。
【００４５】
メインスイッチ１１０は、図３に示したように、３つのポジションの切り替えが可能なスイッチである。図３では、メインスイッチ１１０の３つのポジションを右から「Ｏｎ」「Ｏｆｆ」「Ｅｃｏ」として示している。ポジション「Ｏｎ」は、電子機器１００の動作モードを電源ＯＮモードにするためのポジションであり、ポジション「Ｏｆｆ」は、電子機器１００の動作モードを電源ＯＦＦモードにするためのポジションであり、ポジション「Ｅｃｏ」は、電子機器１００の動作モードをエコモードにするためのポジションである。
【００４６】
メインバッテリ１２０は、電位の出力を受けてオンになるＦＥＴスイッチ部１４０を介して、電力を各デバイス（例えば制御ＩＣ１５０）に供給する他に、ＬＤＯ（Ｌｏｗ  ＤｒｏｐＯｕｔ）１２２を介して、ＲＴＣ（Ｒｅａｌ  Ｔｉｍｅ  Ｃｌｏｃｋ）１２４に電力を供給する。
【００４７】
サブバッテリ１３０は、メインスイッチ１１０を介して、ＦＥＴスイッチ部１４０をオン・オフさせるための電位を出力する。ＦＥＴスイッチ部１４０をオン・オフさせるための電位がサブバッテリ１３０からＦＥＴスイッチ部１４０に出力されるのは、図３から分かるように、メインスイッチ１１０のポジションが「Ｏｎ」または「Ｏｆｆ」の場合であり、メインスイッチ１１０のポジションが「Ｅｃｏ」の場合にはＦＥＴスイッチ部１４０をオン・オフさせるための電位がＦＥＴスイッチ部１４０に出力されない。
【００４８】
ＦＥＴスイッチ部１４０は、Ｎチャンネルの薄膜トランジスタ（ＦＥＴ）Ｔ１と、Ｐチャンネルの薄膜トランジスタＴ２と、キャパシタＣ１と、抵抗Ｒ２、Ｒ３と、を含んで構成される。薄膜トランジスタＴ１は、サブバッテリ１３０、または制御ＩＣ１５０から出力される電位によってオンされる。薄膜トランジスタＴ１がオンされると、薄膜トランジスタＴ２のゲート電位が接地電位となり、薄膜トランジスタＴ２もオンとなる。薄膜トランジスタＴ２がオンとなることで、メインバッテリ１２０からの電力が、電子機器１００の内部の各種回路に供給される。なお、メインバッテリ１２０からの電力は、ヒューズＦ１〜Ｆ４を介して電子機器１００の内部の各種回路に供給される。
【００４９】
図３に示した本発明の一実施形態に係る電子機器１００の回路構成例の動作について説明する。メインスイッチ１１０のポジションが「Ｅｃｏ」の場合には、上述したように、ＦＥＴスイッチ部１４０をオンさせるための電位がサブバッテリ１３０からＦＥＴスイッチ部１４０に出力されない。
【００５０】
ここで、電子機器１００のユーザによってメインスイッチ１１０のポジションが「ｏｆｆ」または「Ｏｎ」に変更されると、ＦＥＴスイッチ部１４０をオンさせるための電位がサブバッテリ１３０からＦＥＴスイッチ部１４０に出力される。メインスイッチ１１０のポジションが「Ｏｆｆ」になっている状態では、ＦＥＴスイッチ部１４０をオンさせるための電位がサブバッテリ１３０からＦＥＴスイッチ部１４０に出力されると共に、符号１５１で示す制御ＩＣ１５０の入力ポートＡにも出力されるが、この電位は符号１５２で示す制御ＩＣ１５０の入力ポートＢには出力されない。そして、メインスイッチ１１０のポジションが「Ｏｎ」になっている状態では、ＦＥＴスイッチ部１４０をオンさせるための電位がサブバッテリ１３０からＦＥＴスイッチ部１４０に出力されると共に、その電位が制御ＩＣ１５０の入力ポートＡ、入力ポートＢのいずれにも出力される。
【００５１】
メインスイッチ１１０のポジションが「Ｏｆｆ」または「Ｏｎ」に変更されると、ＦＥＴスイッチ部１４０をオンさせるための電位がサブバッテリ１３０からＦＥＴスイッチ部１４０に出力される。これにより、上述したように、薄膜トランジスタＴ１、Ｔ２が順を追ってオンされ、メインバッテリ１２０からの電力が制御ＩＣ１５０に供給される。
【００５２】
制御ＩＣ１５０は、メインバッテリ１２０からの電力の供給を受けて動作を開始するが、その際に、入力ポートＡ、Ｂの状態を検知することで、メインスイッチ１１０のポジションが「Ｏｆｆ」であるのか「Ｏｎ」であるのかを把握することが出来る。制御ＩＣ１５０は、どのポートに電位が出力されているかを検出することで、メインスイッチ１１０の現在のポジションを把握することができ、そのポジションに応じた処理を実行することができる。
【００５３】
続いて、制御ＩＣ１５０の構成例を示す。図４は、制御ＩＣ１５０の構成例を示す説明図である。図４に示すように、制御ＩＣ１５０は符号１５１で示す入力ポートＡと、符号１５２で示す入力ポートＢと、符号１５３で示す出力ポートと、を有する。
【００５４】
入力ポートＡ、Ｂには、それぞれサブバッテリ１３０からの電位が出力され、制御ＩＣ１５０は、その電位の状態によってポートの状態がＨｉｇｈであるかＬｏｗであるかを検出することができる。
【００５５】
入力ポートＡ、Ｂのいずれにもサブバッテリ１３０からの電位が出力されず、入力ポートＡ、Ｂの状態がいずれもＬｏｗである場合には、電子機器１００の状態はエコモードであり、制御ＩＣ１５０は動作を停止している。
【００５６】
メインスイッチ１１０のポジションが「Ｏｆｆ」になっている状態では、入力ポートＡにのみサブバッテリ１３０からの電位が出力され、制御ＩＣ１５０は入力ポートＡがＨｉｇｈであり、入力ポートＢがＬｏｗであると認識することができる。この状態では、制御ＩＣ１５０は、電子機器１００の状態が電源ＯＦＦ状態にあることを認識することができる。
【００５７】
メインスイッチ１１０のポジションが「Ｏｎ」になっている状態では、入力ポートＡ、Ｂのいずれにもサブバッテリ１３０からの電位が出力され、制御ＩＣ１５０は入力ポートＡ、ＢのいずれもがＨｉｇｈであると認識することができる。この状態では、制御ＩＣ１５０は、電子機器１００の状態が電源ＯＮ状態にあることを認識することができる。
【００５８】
制御ＩＣ１５０は、メインバッテリ１２０からの電力の供給を受けて動作を開始すると、出力ポート１５３から、ＦＥＴスイッチ部１４０をオンさせるための電位を出力する。出力ポート１５３から出力する、ＦＥＴスイッチ部１４０をオンさせるための電位は、サブバッテリ１３０から出力する、ＦＥＴスイッチ部１４０をオンさせるための電位よりも高くする。図３に示した例では、サブバッテリ１３０から出力する電位は３．０Ｖであり、出力ポート１５３から出力する電位は３．１５Ｖであるとしている。出力ポート１５３から出力する電位を、サブバッテリ１３０から出力する電位よりも高くすることで、ＦＥＴスイッチ部１４０に出力する電位は、制御ＩＣ１５０に電力が供給された後すぐに出力ポート１５３から出力する電位に切り替わり、サブバッテリ１３０を使用する時間が短い時間に限られる。従って、サブバッテリ１３０が、短時間の電力供給に向く電源であっても問題なく、ＦＥＴスイッチ部１４０に電位を出力することが出来る。
【００５９】
図５は、制御ＩＣ１５０の入力ポートＡ、Ｂの状態と、電子機器１００の動作モードとの関係を表で示す説明図であり、上述した、制御ＩＣ１５０の入力ポートＡ、Ｂの状態と、電子機器１００の動作モードとの関係をまとめたものである。
【００６０】
図５に示すように、制御ＩＣ１５０の入力ポートＡ、ＢがいずれもＬｏｗの状態では、電子機器１００の動作モードはエコモードとなり、制御ＩＣ１５０は動作を停止している。
【００６１】
制御ＩＣ１５０の入力ポートＡのみがＨｉｇｈで、入力ポートＢがＬｏｗの状態では、電子機器１００の動作モードは電源ＯＦＦモードとなっている。電源ＯＦＦモードでは、制御ＩＣ１５０はメインバッテリ１２０から通電を受けて動作しているが、電子機器１００の内部のその他の回路やデバイスは動作させない、または最低限の回路やデバイスにのみ通電させることで電源ＯＦＦ状態を実現する。
【００６２】
そして、制御ＩＣ１５０の入力ポートＡ、ＢがいずれもＨｉｇｈの状態では、電子機器１００の動作モードは電源ＯＮモードとなり、電子機器１００は、その機能を発揮できる状態となる。なお、制御ＩＣ１５０の入力ポートＡのみがＬｏｗで、入力ポートＢがＨｉｇｈの状態は存在しないことは、図３に示した構成から明らかである。
【００６３】
以上、本発明の一実施形態に係る電子機器１００の回路構成例について説明した。もちろん、本発明の一実施形態に係る電子機器１００の回路構成は、図３に示したものに限られないことは言うまでもなく、例えば、図２に示した電子機器１００の機能構成を実現できる回路であればどのようなものであっても採用することができることは言うまでもない。次に、本発明の一実施形態に係る電子機器１００の動作について説明する。
【００６４】
［１−４．電子機器の動作］
図６は、本発明の一実施形態に係る電子機器１００の動作を示す流れ図である。以下、図６を用いて本発明の一実施形態に係る電子機器１００の動作について説明する。
【００６５】
前提として、電子機器１００は、メインスイッチ１１０によってエコモード、すなわち、制御ＩＣ１５０に通電されていない状態にあるものとする。この状態で、電子機器１００のユーザによって、メインスイッチ１１０のポジションが「Ｏｎ」に設定される（ステップＳ１０１）。メインスイッチ１１０のポジションが「Ｏｎ」に設定されると、サブバッテリ１３０から電位が出力され、薄膜トランジスタＴ１、Ｔ２が順に導通状態となることでＦＥＴスイッチ部１４０がオンされる（ステップＳ１０２）。
【００６６】
薄膜トランジスタＴ１、Ｔ２が順に導通状態となることでＦＥＴスイッチ部１４０がオンされると、メインバッテリ１２０の電力が制御ＩＣ１５０へ供給され、制御ＩＣ１５０が起動する（ステップＳ１０３）。
【００６７】
制御ＩＣ１５０が起動すると、入力ポートＡ、Ｂの状態を検出することができる。メインスイッチ１１０のポジションが「Ｏｎ」に設定されると、入力ポートＡ、Ｂにはサブバッテリ１３０から出力される電位が入力されるので、制御ＩＣ１５０は、入力ポートＡ、ＢはいずれもＨｉｇｈ状態であると検出することができる。
【００６８】
入力ポートＡ、ＢがいずれもＨｉｇｈ状態であるので、制御ＩＣ１５０は、電子機器１００が電源ＯＮモードであると認識できるので、制御ＩＣ１５０によって電子機器１００は電源ＯＮモードで動作する（ステップＳ１０４）。また制御ＩＣ１５０は、起動後に出力ポートから、ＦＥＴスイッチ部１４０をオンさせるための電位を出力する。なお、制御ＩＣ１５０の出力ポート１５３から、ＦＥＴスイッチ部１４０をオンさせるための電位が出力されても、サブバッテリ１３０から出力される電位は入力ポートＡ、Ｂに供給され続けるので、制御ＩＣ１５０は、メインスイッチ１１０のポジションが「Ｏｎ」に鳴っている間は電子機器１００が電源ＯＮモードであると認識し続けることができる。
【００６９】
電子機器１００が電源ＯＮモードで動作している状態で、電子機器１００のユーザが、メインスイッチ１１０を操作して、メインスイッチ１１０のポジションを「Ｅｃｏ」に変更する（ステップＳ１０５）。メインスイッチ１１０のポジションが「Ｅｃｏ」になると、サブバッテリ１３０から制御ＩＣ１５０への電位の出力がストップする。そして、制御ＩＣ１５０は、入力ポートＡ、ＢはいずれもＬｏｗ状態であると検出することができる（ステップＳ１０６）。
【００７０】
メインスイッチ１１０のポジションが「Ｅｃｏ」になり、制御ＩＣ１５０が、入力ポートＡ、ＢをいずれもＬｏｗ状態であると検出すると、制御ＩＣ１５０は、実行中の処理を完了させてから、出力ポート１５３の出力をＬｏｗに変更する（ステップＳ１０７）。出力ポート１５３の出力がＬｏｗになると、メインスイッチ１１０のポジションも「Ｅｃｏ」になっているので、ＦＥＴスイッチ部１４０への電位の出力が停止する。従って、薄膜トランジスタＴ１、Ｔ２が順に非導通の状態となり、ＦＥＴスイッチ部１４０がオフになる（ステップＳ１０８）。
【００７１】
ＦＥＴスイッチ部１４０がオフになることで、メインバッテリ１２０から制御ＩＣ１５０への電力供給が途絶える。従って、ＦＥＴスイッチ部１４０がオフになることで制御ＩＣ１５０は動作を停止してオフ状態となる（ステップＳ１０９）。
【００７２】
このように、メインスイッチ１１０のポジションが「Ｅｃｏ」から「Ｏｎ」に変更されることで、サブバッテリ１３０からＦＥＴスイッチ部１４０へ、ＦＥＴスイッチ部１４０をオンさせるための電位が出力される。ＦＥＴスイッチ部１４０がオンされて、メインバッテリ１２０から電力が制御ＩＣ１５０へ供給されると、ＦＥＴスイッチ部１４０をオンさせるための電位の出力は、サブバッテリ１３０から制御ＩＣ１５０に切り替わる。
【００７３】
また、メインスイッチ１１０のポジションが「Ｏｎ」から「Ｅｃｏ」に変更されることで、制御ＩＣ１５０は、実行中の処理を完了させてから、ＦＥＴスイッチ部１４０をオンさせるための電位の出力を停止する。これにより、メインスイッチ１１０のポジションが「Ｏｎ」から「Ｅｃｏ」にいきなり変更された場合であっても、制御ＩＣ１５０で実行されている処理を完了させてから、ＦＥＴスイッチ部１４０をオフさせることができる。
【００７４】
＜２．まとめ＞
以上説明したように本発明の一実施形態によれば、電子機器１００のメインスイッチ１１０のポジションが「Ｏｎ」から「Ｅｃｏ」に変更された場合であっても、電子機器１００の内部で動作する回路で実行中の処理を強制的に停止すること無く、当該処理の終了を待ってから、メインバッテリ１２０からの電力供給を物理的に遮断させることができる。
【００７５】
本発明の一実施形態にかかる電子機器１００は、上述したような構成を有し、上述したような動作を実行することにより、電子機器１００を未使用にしていた時の電子機器１００の使用可能時間の長時間化を図ることができるとともに、メインバッテリ１２０からの電力供給を遮断する際に、安全にＦＥＴスイッチ部１４０をオフさせることができる。
【００７６】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００７７】
例えば、上記実施形態では、制御ＩＣ１５０に入力ポートＡ、Ｂを設け、入力ポートＡ、ＢのＨｉｇｈ、Ｌｏｗ状態を検出することで、制御ＩＣ１５０はメインスイッチ１１０のポジションを検出する構成としたが、本発明はかかる例に限定されない。例えば、メインスイッチ１１０から、ポジションの変更に応じた信号を制御ＩＣ１５０に出力することで、制御ＩＣ１５０はメインスイッチ１１０のポジションを検出するようにしてもよい。
【００７８】
また例えば、上記実施形態では、電子機器１００は３つのポジションを取ることができるメインスイッチ１１０を備え、サブバッテリ１３０から出力される電位を制御ＩＣ１５０で検知することで、メインスイッチ１１０がどのポジションにあるかを検出していたが、本発明はかかる例に限定されない。例えば、メインスイッチ１１０をロータリ式のスイッチとして、スイッチの回転を制御ＩＣ１５０で検知することで、メインスイッチ１１０がどのポジションにあるかを検出する構成としても良い。
【００７９】
また、上記の実施形態で説明した一連の処理は、専用のハードウエアにより実行させてもよいが、ソフトウエア（アプリケーション）により実行させてもよい。一連の処理をソフトウエアにより行う場合、汎用又は専用のコンピュータにプログラムを実行させることにより、上記の一連の処理を実現することができる。
【符号の説明】
【００８０】
１００    電子機器
１１０    メインスイッチ
１２０    メインバッテリ
１３０    サブバッテリ
１４０    ＦＥＴスイッチ部
１５０    制御ＩＣ
１５１    入力ポートＡ
１５２    入力ポートＢ
１５３    出力ポート
【図１】
2012200046.tif 000003
【図２】
2012200046.tif 000004
【図３】
2012200046.tif 000005
【図４】
2012200046.tif 000006
【図５】
2012200046.tif 000007
【図６】
2012200046.tif 000008